(57)【要約】  実施形態に係る表示装置における表示を調整する方法によれば、外部から映像信号を入力して表示部に映像が表示され、調整メニューの表示を指示する表示指示に応答して第１グループの調整項目と調整値とを有する第１メニューが映像に重畳されて表示される。この第１グループの調整項目と調整値を少なくとも含み、第２グループの表示調整項目と調整値からなる第２メニューを表わすためのマークアップ言語で作成されたメニュー・ファイルが外部からの転送要求に応じて外部電子機器に送信される。このメニュー・ファイルの送信に基づいて外部電子機器から返信される返信ファイルには、第２メニューで設定された設定済み表示調整項目と調整値を含み、この返信ファイルの設定済み表示調整項目と調整値に従って、映像の表示が調整される。
2015071955.tif 000002
【特許請求の範囲】
【請求項１】
外部から映像信号を入力するように構成された入力部と、
前記映像信号に基づいて映像を表示する表示部と、
前記表示部で表示される映像を調整する映像調整部と、
前記映像調整部に調整メニューの表示を指示する表示指示に応答して、前記映像に重畳させて表示する、第１グループの調整項目と調整値とを有する第１メニュー及び前記第１グループの調整項目と調整値を少なくとも含む、第２グループの表示調整項目と調整値からなる第２メニューを格納する記憶部であって、前記第２メニューがマークアップ言語で作成されたメニュー・ファイルとして格納されている記憶部と、
外部からの転送要求に応じて前記記憶部からメニュー・ファイルを外部電子機器に送信し、前記メニュー・ファイルの送信に基づいて外部電子機器から返信される返信ファイルであって、前記メニューで設定された設定済み表示調整項目と調整値を含む返信ファイルを受信する送受信部と、
前記返信ファイルの前記設定済み表示調整項目と調整値に従って、前記映像調整部に前記映像を調整させる制御部と、
を具備する表示装置。
【請求項２】
前記制御部は、前記設定済み表示調整項目と調整値に従う前記映像の調整を制御するとともに前記映像に重畳させて表示される前記第１メニューの表示を消出させて前記表示部に前記映像のみを表示させる請求項１の表示装置。
【請求項３】
第１メニューは、当該表示装置を特定するＩＰアドレスを含み、前記外部からの転送要求がこのＩＰアドレスに基づいて送信され、
前記返信ファイルは、ファイル名、映像名及び前記設定済み表示調整項目と調整値とを有する請求項１の表示装置。
【請求項４】
前記第１及び第２グループの調整項目は、映像入力、映像モード、調整モード、色温度及びバックライトを含む請求項１の表示装置。
【請求項５】
外部から映像信号を入力して表示部に映像を表示し、
調整メニューの表示を指示する表示指示に応答して前記映像に重畳させて第１グループの調整項目と調整値とを有する第１メニューを表示し、
前記第１グループの調整項目と調整値を少なくとも含み、第２グループの表示調整項目と調整値からなる第２メニューを表わすためのマークアップ言語で作成されたメニュー・ファイルを、外部からの転送要求に応じて外部電子機器に送信し、
前記メニュー・ファイルの送信に基づいて外部電子機器から返信される返信ファイルであって、前記第２メニューで設定された設定済み表示調整項目と調整値を含む返信ファイルを受信し、
前記返信ファイルの前記設定済み表示調整項目と調整値に従って、前記映像を調整する、
ことを具備する表示装置における表示を調整する方法。
【請求項６】
前記設定済み表示調整項目と調整値に従う前記映像を調整する前に、前記映像に重畳させて表示される前記第１メニューの表示を消出させて前記表示部に前記映像のみを表示させる請求項５の方法。
【請求項７】
表示された映像を調整する映像調整部と、第１及び第２グループの調整項目と調整値からなる第１及び第２メニューが格納され、第２メニューがマークアップ言語で作成されたファイルとして格納さている格納部と、を具備する表示装置に接続され得る電子機器であって、
前記表示装置から前記ファイルを受信する受信部と、
前記受信部で受信されたファイルに基づいて前記第２メニューを表示する表示部と、
前記メニューに含まれる第２グループの調整項目と調整値に基づいて設定された調整値を返信ファイルとして前記表示装置へ送信して前記設定済み表示調整項目と調整値に従って、前記映像調整部に前記映像を調整させる送信部と、
前記設定済み表示調整項目と調整値を前記表示部に表示された前記映像に関連づけて記憶する記憶部と、
を具備する電子機器。
【請求項８】
前記表示装置のＩＰアドレスを入力する部と、
前記ＩＰアドレスへの接続を設定する部と、
をさらに具備する請求項７の電子機器。
【請求項９】
映像調整部と、第１及び第２グループの調整項目と調整値からなる第１及び第２メニューが格納され、第２メニューがマークアップ言語で作成されたファイルとして格納さている格納部と、を具備する表示装置に接続され得る電子機器における方法であって、
前記表示装置から前記ファイルを受信することと、
前記受信されたファイルに基づいて前記メニューを表示することと、
前記メニューに含まれる第２グループの調整項目と調整値に基づいて設定された調整値を返信ファイルとして前記表示装置へ送信して前記設定済み表示調整項目と調整値に従って、前記映像調整部に前記映像を調整させる、送信することと、
を具備する方法。
【請求項１０】
映像調整部と、第１及び第２グループの調整項目と調整値からなる第１及び第２メニューが格納され、第２メニューがマークアップ言語で作成されたファイルとして格納さている格納部と、を具備する表示装置に接続され得る電子機器のコンピュータにより実行されるプログラムであって、前記プログラムは
前記表示装置から前記ファイルを受信し、
前記受信されたファイルに基づいて前記第２メニューを表示し、
前記メニューに含まれる第２グループの調整項目と調整値に基づいて設定された調整値を返信ファイルとして前記表示装置へ送信することであって、前記設定済み表示調整項目と調整値に従って、前記映像調整部に前記映像を調整させているプログラム。
【発明の詳細な説明】
【技術分野】
【０００１】
この実施形態は、画像表示装置の映像調整に関する。
【背景技術】
【０００２】
従来の画像表示装置、例えば、テレビジョン受像機は、画面にＯＳＤ（On Screen Display）により映像、音声の調整項目と調整の度合い（調整値）を表示する設定メニューを表示し、本体あるいはリモートコントローラに設けられているボタンを操作することにより、調整値を設定している。
【先行技術文献】
【特許文献】
【０００３】
【特許文献１】特開２００６−１８６８６８号公報
【発明の概要】
【発明が解決しようとする課題】
【０００４】
従来の画像表示装置は、画面に表示されている映像に設定メニューが重畳されるので、調整値の変更による映像の変化が見づらく、設定がしづらい。また、値はボタンによる指示により一定値ずつ変化させることにより調整するので、値を大きく変化する、あるいは微妙に変化することが容易ではない。【０００５】
また、従来から、撮影された映像、特に、写真毎に映像に対する調整値を設定可能で、一度実映像（実写真）設定することによって繰り返し同一調整状態で映像（写真）を表示することができることが望まれている。【０００６】
更に、ある画像表示装置（モニター）に対するある一度実映像（実写真）の微妙な設定することによって、いずれの画像表示装置（モニター）にあっても同一調整値で同一の映像（写真）を再現することができることが望まれている。【０００７】
この実施形態は、画像表示装置の種々の調整を容易に設定することができるユーザインターフェースを含む電子機器、方法及びプログラムを提供することにある。
【課題を解決するための手段】
【０００８】
実施形態によれば、外部から映像信号を入力するように構成された入力部と、前記映像信号に基づいて映像を表示する表示部と、前記表示部で表示される映像を調整する映像調整部と、を有する表示装置は、
前記映像調整部に調整メニューの表示を指示する表示指示に応答して、前記映像に重畳させて表示する、第１グループの調整項目と調整値とを有する第１メニュー及び前記第１グループの調整項目と調整値を少なくとも含む、第２グループの表示調整項目と調整値からなる第２メニューを格納する記憶部であって、前記第２メニューがマークアップ言語で作成されたメニュー・ファイルとして格納されている記憶部と、
外部からの転送要求に応じて前記記憶部からメニュー・ファイルを外部電子機器に送信し、前記メニュー・ファイルの送信に基づいて外部電子機器から返信される返信ファイルであって、前記第２メニューで設定された設定済み表示調整項目と調整値を含む返信ファイルを受信する送受信部と、
前記返信ファイルの前記設定済み表示調整項目と調整値に従って、前記映像調整部に前記映像を調整させる制御部と、
を更に具備している。【０００９】
また、他の実施の形態によれば、外部から映像信号を入力して表示部に映像を表示し、調整メニューの表示を指示する表示指示に応答して前記映像に重畳させて第１グループの調整項目と調整値とを有する第１メニューを表示する表示を調整する、表示装置における表示を調整する方法においては、
前記第１グループの調整項目と調整値を少なくとも含み、第２グループの表示調整項目と調整値からなる第２メニューを表わすためのマークアップ言語で作成されたメニュー・ファイルを、外部からの転送要求に応じて外部電子機器に送信し、
前記メニュー・ファイルの送信に基づいて外部電子機器から返信される返信ファイルであって、前記第２メニューで設定された設定済み表示調整項目と調整値を含む返信ファイルを受信し、
前記返信ファイルの前記設定済み表示調整項目と調整値に従って、前記映像を調整している。【００１０】
更にまた、映像調整部と、第１及び第２グループの調整項目と調整値からなる第１及び第２メニューが格納され、第２メニューがマークアップ言語で作成されたファイルとして格納さている格納部と、を具備する表示装置に接続され得る電子機器においては、
前記表示装置から前記ファイルを受信する受信部と、
前記受信部で受信されたファイルに基づいて前記第２メニューを表示する表示部と、
前記メニューに含まれる第２グループの調整項目と調整値に基づいて設定された調整値を返信ファイルとして前記表示装置へ送信して前記設定済み表示調整項目と調整値に従って、前記映像調整部に前記映像を調整させる送信部と、
前記設定済み表示調整項目と調整値を前記表示部に表示された前記映像に関連づけて記憶する記憶部と、
を具備している。
【図面の簡単な説明】
【００１１】
【図１】図１は、実施形態のシステム構成の一例を示す図である。
【図２】図２は、実施形態のモニタ装置の構成の一例を示す図である。
【図３】図３は、実施形態のパソコンの構成の一例を示す図である。
【図４Ａ】図４Ａは、実施形態のモニタ装置に表示される表示画面の一例を示す図である。
【図４Ｂ】図４Ｂは、図４Ａに示される表示画面上に重ねて表示される実施形態の本体メニューの一例を示す図である。
【図５】図５は、実施形態のＨＴＭＬメニューによる映像調整処理の一例を示すフローチャートである。
【図６Ａ】図６Ａは、実施形態のパソコンのディスプレイに表示される表示画面の一例を示す図である。
【図６Ｂ】図６Ｂは、図６Ａに示される実施形態のＨＴＭＬメニューの一例を示す図である。
【図７Ａ】図７Ａは、実施形態のＨＴＭＬメニューの他の一例の階層構造の一部を示す図である。
【図７Ｂ】図７Ｂは、実施形態のＨＴＭＬメニューの他の一例の階層構造の他の一部を示す図である。
【図７Ｃ】図７Ｃは、実施形態のＨＴＭＬメニューの他の一例の階層構造のさらに他の一部を示す図である。
【図７Ｄ】図７Ｄは、実施形態のＨＴＭＬメニューの他の一例の階層構造のさらに他の一部を示す図である。
【図７Ｅ】図７Ｅは、実施形態のＨＴＭＬメニューの他の一例の階層構造のさらに他の一部を示す図である。
【図８】図８は、図３に示されるパソコンに保存される、モニタ装置の表示調整の為の設定値データのフォーマットを示す図である。
【図９】図９は、実施形態のＨＴＭＬメニューによる設定ファイルの保存処理の一例を示すフローチャートである。
【図１０】図１０は、実施形態のＨＴＭＬメニューによる設定ファイルの復元処理の一例を示すフローチャートである。
【図１１】図１１は、変形実施形態に係る、複数のモニタ装置に同一の調整済み映像を表示させるシステム構成の一例を示す図である。
【発明を実施するための形態】
【００１２】
以下、第１の実施形態について図面を参照して説明する。
【００１３】
図１は、第１の実施形態のシステム構成を示す図である。システムは、ＬＣＤパネル等からなるモニタ装置１０と、ノートブック型あるいはタブレット型のパーソナルコンピュータ（以下、パソコンと称する）１２と、映像ソース機器１１からなる。図示していないが、モニタ装置１０の正面の枠部、側面あるいは背面に図２に示す操作部３２として操作ボタンが設けられている。操作ボタンは、メニューボタン、上下ボタン、左右ボタン、決定ボタン等の複数のボタン、あるいは、上下左右プラス中心を押すことができる十字ボタンあるいは二重のボタン（外側が上下左右を押すことができるリング状ボタン）を含む。調整メニューの表示を指示するメニューボタンは、第１グループの調整項目と調整値とを有する映像調整のための設定メニューを表示させるものであり、メニューの項目を上下ボタンで選択し、項目の値を左右ボタンで選択できる。しかし、後述するように、本実施形態では、パソコン１２の画面に設定メニューを表示し、その画面上で項目、項目値を選択するので、パソコン１２から調整メニューの表示指示が可能であれば、モニタ装置１０の操作ボタンは省略可能である。あるいは、小サイズの簡単な設定メニューは、モニタ装置１０で表示し、大サイズの複雑な設定メニューはパソコン１２で表示される。
【００１４】
ここで、モニタ装置１０で表示される本体メニュー（モニタ用メニュー）は、表示項目及び調整値が制限されている小サイズの簡易設定メニューであり、この簡易設定メニューは、パソコン１２の表示部には表示されない、モニタ装置１０に固有のメニューに設定されている。パソコン１２から詳細調整メニューとしてのＨＴＭＬメニューの転送要求があり、モニタ装置１０に詳細調整メニューが表示されると、モニタ装置１０に表示されているこの簡易設定メニューは、詳細調整メニューの表示に伴い消失される。ここで、詳細調整メニューは、第１グループの調整項目と調整値を少なくとも含み、これら第１グループの調整項目と調整値に更に他の調整項目と調整値を加えた第２グループの調整項目と調整値を有している。
【００１５】
映像ソース機器１１は、モニタ装置１０に映像信号を供給する装置であり、カメラ装置１５、ＴＶチューナ、ＤＶＤ（登録商標）／ＢＤ（登録商標）プレーヤ１４、セットトップボックス等を含む。映像ソース機器１１とモニタ装置１０とは、ＨＤＭＩ(High-Definition Multimedia Interface)のモニタポート或いはディスプレイポート等の映像表示規格に従ったケーブル１６によって接続される。ＨＤＭＩの規格は、例えばＨＤＭＩ２．０とＨＤＭＩ１．４を含む。
【００１６】
パソコン１２は、アクセスポイント８を利用する無線ＬＡＮ（例えば、ＩＥＥＥ８０２）あるいは有線ＬＡＮによってモニタ装置１０に接続される。即ち、パソコン１２は、ＬＡＮケーブル（図示せず）を介してモニタ装置１０のＬＡＮポートに直接的に接続されても良く、或いは、無線ＬＡＮ６−１を介してアクセスポイント８に接続され、このアクセスポイント８が無線ＬＡＮ６−２を介して、或いは、ＬＡＮケーブル（図示せず）介してモニタ装置１０のＬＡＮポートに接続されても良い。また、パソコン１２は、映像信号をモニタ装置１０に出力するために、映像ケーブル、例えば、ＨＤＭＩケーブル１７を介してモニタ装置１０のモニタポートに接続されている。
【００１７】
なお、モニタ装置１０と映像ソース機器１１が必ずしも物理的に分離されている必要はなく、実施形態は、両者が一体となったテレビジョン受像機であってもよい。パソコン１２は、映像調整のための設定メニュー画面を映像モニタ装置１４から受信し、ＷＥＢブラウザで表示する。
【００１８】
但し、モニタ装置１０にＴＶ信号が入力され、ＴＶ画面が表示されるＴＶモード或いは映画等の映像を表示するムービー（ＭＯＶＩＥ）モードでは、キャリブレーションの後に映像調整を実施することができず、予め定められたＴＶ・ムービー（ＭＯＶＩＥ）モードで定められているディフォルト映像設定で映像が表示される。
【００１９】
図２は、モニタ装置１０のシステム構成を示すブロック図である。映像ソース機器１１から映像信号が入力される映像入力部（例えば、ＨＤＭＩ入力部）２２が映像処理部２４に接続される。映像処理部２４は映像信号を種々の項目（例えば、コントラスト、黒レベル、ガンマ特性、色合い、色の濃さ、シャープネス等）に関して調整するものであり、調整項目の設定値はシステムコントローラ２８から与えられる。システムコントローラ２８はＣＰＵを含む。映像処理部２４の出力はＬＣＤパネル２６で表示される。システムコントローラ２８は、調整項目の設定値を記憶するフラッシュメモリ３０と、操作部３２、パソコン１２との通信を行う有線及び無線通信デバイス３４、設定メニュー記憶部３６、ＯＳＤ信号生成部３８、バックライト４０等に接続される。システムコントローラ２８は、フラッシュメモリ３０から読み出した設定値を映像処理部２４に設定する。フラッシュメモリ３０は、システムコントローラ２８が含むＣＰＵの動作を制御するためのソフトウェア（ファームウェア）も記憶する。操作部３２は、上述したモニタ装置１０の正面の枠部、側面あるいは背面に設けられた操作ボタンを含む。設定メニュー記憶部３６は、映像処理部２４が映像信号を調整する際の調整値の設定メニュー画面をマークアップ言語（例えば、ＨＴＭＬ：Hyper Text Markup Language）で記述したファイル（予め作成されている）を記憶する。既に説明したように設定メニュー画面には、２種類ＨＴＭＬファイルで構成されている、モニタ装置１０のＬＣＤパネル２６で表示される簡易版の本体メニュー及び無線通信デバイス３４を介してパソコン１２に送信され、パソコン１２の表示パネルに表示される詳細調整メニューがある。ここで、既に説明したように、ＨＴＭＬメニューの転送要求に応答してモニタ装置１０から詳細調整メニューのデータがパソコン１２に転送されると、システムコントローラ２８の制御によって、モニタ装置１０に表示されているこの簡易設定メニューの表示が消失され、背景映像である調整対象の映像のみがモニタ装置１０に表示される。これら簡易版の本体メニュー及び詳細調整メニューは、上述した設定メニュー記憶部３６に記憶されている。
【００２０】
ＯＳＤ信号生成部３８は、ＬＣＤパネル２６にＯＳＤ(On-Screen Display)で表示される本体メニューを作成する。ＯＳＤ信号生成部３８の出力は映像処理部２４に供給され、調整対象とされる写真等の映像に、本体メニューが重畳される。上述したように、本体メニューは、省略可能であり、その場合、ＯＳＤ信号生成部３８も省略可能である。システムコントローラ２８はバックライト４０の輝度と色温度も制御する。
【００２１】
図３は、パソコン１２のシステム構成を示すブロック図である。パソコン１２は、ＣＰＵ５０、システムコントローラ５２、主メモリ５４、ＢＩＯＳ−ＲＯＭ５６、ＳＳＤ（Solid State Drive）及び／又はＨＤＤ(Hard Disk Drive)５８、グラフィクスコントローラ６０、サウンドコントローラ６２、無線通信デバイス６４、エンベデッド／キーボード（ＥＣ／ＫＢＤ）コントローラ６６、タッチスクリーンディスプレイ６８及びＨＤＭＩポート及び／又はディスプレイポート(Display Port)等のポートを備え、このポートから映像信号を出力するディスプレイ・インタフェース７０等を備える。
【００２２】
ＣＰＵ５０は、パソコン１２に実装された各種モジュールの動作を制御するプロセッサである。ＣＰＵ５０は、不揮発性のストレージデバイスであるＳＳＤ５８から主メモリ５４にロードされる各種ソフトウェアを実行する。このソフトウェアは、オペレーティングシステム（ＯＳ）５４ａ、ブラウザ５４ｄ等を含む。
【００２３】
ブラウザ５４ｄは、モニタ装置１０の無線通信デバイス３４から送信され、無線通信デバイス６４により受信されたＨＴＭＬファイルに基づいてＨＴＭＬメニュー画面をタッチスクリーンディスプレイ６８で表示する。
【００２４】
ＣＰＵ５０は、ＢＩＯＳ−ＲＯＭ５６に格納された基本入出力システム（ＢＩＯＳ）も実行する。ＢＩＯＳは、ハードウェア制御のためのプログラムである。
【００２５】
システムコントローラ５２は、ＣＰＵ５０と各種コンポーネントとの間を接続するデバイスである。システムコントローラ５２には、図示しないが、主メモリ５４をアクセス制御するメモリコントローラも内蔵されている。システムコントローラ５２には、主メモリ５４、ＢＩＯＳ−ＲＯＭ５６、ＳＳＤ及び／又はＨＤＤ(Hard Disk Drive)５８、グラフィクスコントローラ６０、サウンドコントローラ６２、無線通信デバイス６４、ＥＣ／ＫＢＤコントローラ６６及びディスプレイ・インタフェース７０等が接続される。
【００２６】
グラフィクスコントローラ６０は、パソコン１２のディスプレイモニタとして使用されるＬＣＤ６８ａを制御する。グラフィクスコントローラ６０は、ＣＰＵ５０の制御のもとで、表示信号をＬＣＤ６８ａに送信する。ＬＣＤ６８ａは、表示信号に基づいて画面イメージを表示する。ＬＣＤ６８ａの表示面にはタッチパネル６８ｂが配置されている。なお、パソコン１２のモニタはタッチスクリーンディスプレイ６８に限定されず、ＬＣＤ６８ａからなる通常のモニタでもよい。その場合は、ＨＴＭＬメニューの項目と、項目の値はマウス等で選択すればよい。
【００２７】
サウンドコントローラ６２は、音声信号やアラームを処理するコントローラであり、スピーカ４２ａから出力される音声信号やアラームを生成する。操作が正常に行われなかった場合等にアラームが発生される。
【００２８】
有線・無線通信デバイス６４は、ＬＡＮケーブルを介して他の機器と通信を実行し、無線ＬＡＮや３Ｇ移動通信などの無線通信、あるいはＮＦＣ（Near Field Communication）などの近接無線通信を実行するように構成されているデバイスである。有線・無線通信デバイス６４を介してパソコン１２は、モニタ装置１０に接続される。
【００２９】
ＥＣ／ＫＢＤコントローラ６６は、電力管理を行うためのエンベデッドコントローラと、キーボードを制御するためのキーボードコントローラとが集積された１チップマイクロコンピュータである。ＥＣ／ＫＢＤコントローラ６６は、タッチパネル６８ｂを制御するためのタッチパネルコントローラも含む。ＥＣ／ＫＢＤコントローラ６６に、図示しない電源ボタンの操作に応じてパソコン１２を電源オンまたは電源オフする機能を有している。
【００３０】
次に、実施形態の映像調整について説明する。
【００３１】
図４Ａに示すように、モニタ装置１０に調整対象の映像が表示されている状態で、モニタ装置１０の操作ボタンのうちのメニューボタン、あるいは十字ボタンの中央キー、あるいは二重ボタンの中央キーが押されると、図４Ｂに示すように、本体メニューがＯＳＤにより映像に重畳して表示される。この状態で再度メニューボタン等が押されると、メニュー表示は、オフし、図４Ａに示す背景映像のみがモニタ装置１０に表示される。
【００３２】
ここで、本体メニューの表示は、背景としての映像上に重畳されて表示されるが、この映像が調整対象でなくとも良く、後に調整対象の映像が選択されても良い。この背景映像は、モニタ装置１０内のメモリに予め用意された映像でも良く、また、映像ソース機器１１或いはパソコンから調整洋の映像としてＨＤＭＩ等のケーブル１６、１７を介して供給された映像であっても良い。
【００３３】
本体メニューは、例えば、映像入力、映像モード、調整モード、色温度、バックライト、ヘッドホーンの音量、ソフトウェア（ファームウェア）アップデート、初期化、入力中の映像信号のフォーマット表示、本機のＩＰアドレスの表示、キャリブレーション実施後からの経過時間の表示、ソフトウェアのバージョン表示等の項目を含む。項目の選択は上下キーを押してカーソルを移動することにより行われる。カーソルが最上段の項目まで到達しさらに上キーが押されると、カーソルは最下段の項目に移る。同様に、カーソルが最下段の項目まで到達しさらに下キーが押されると、カーソルは最上段の項目に移る。このように上下キーはカーソルをループ的に移動させる。
【００３４】
各項目の選択肢は例えば、以下の通りである。映像入力は、ＨＤＭＩ１／ＨＤＭＩ２／ディスプレイポートのいずれかに設定される。映像モードは、アドベＲＧＢ(Adobe RGB)、ＲＧＢ／ＢＴ．７０９／ＥＢＵ／ＳＭＰＴＥ−Ｃ／ＤＩＣＯＭ−ｓｉｍ／テレビ／ムービーのいずれかに設定される。調整モードは、プリセット／カスタムのいずれかに設定される。色温度は、４０００Ｋから１５０００Ｋの範囲で１００Ｋ刻みに設定される。バックライトは、４０ｃｄ／ｍ２から３５０ｃｄ／ｍ２の範囲で１０刻みに設定される（手動設定のみ）。
【００３５】
ヘッドホーンの音量は０から１００の範囲で５刻みに設定される（ヘッドホーン端子挿入時に設定可能）。ソフトウェア（ファームウェア）アップデートと初期化は、実行する、しないのいずれかに設定される。映像信号のフォーマット、ＩＰアドレス、キャリブレーション実施後からの経過時間、ソフトウェアのバージョンは自動的に表示される。なお、キャリブレーションとは、カラーキャリブレーションのことであり、モニタ装置１０のＵＳＢ端子に接続したセンサをＬＣＤパネル２６に密着させて輝度や色を測定し、自動で調整を行うものである。
【００３６】
項目の選択肢（項目値）の選択は、左右キーを押すことにより行われる。左右キーも上下キーと同様にループ的にカーソルを移動させてもよいが、項目値の場合は、ループ的に移動させない方が好ましい場合もある。ループ的に移動させる／させないは任意である。
【００３７】
このように、モニタ装置１０の操作ボタンの操作により、本体メニューをＯＳＤにより映像に重畳して表示し、操作ボタンの操作により項目と項目値を選択することにより、映像調整値を設定することができる。
【００３８】
次に、モニタ装置１０で映像を表示しつつ、パソコン１２でメニュー画面を表示して、パソコンのタッチスクリーンディスプレイ６８上のタップ、スライド操作、あるいはパソコンのモニタ上のマウス操作等により映像調整を設定する動作を図５のフローチャートを参照して説明する。
【００３９】
図４Ａに示すように、モニタ装置１０には、背景映像が表示されている状態で、パソコン１２では、ブロックＢ５２でブラウザが起動される。ブロックＢ５４でモニタ装置１０のＩＰアドレスをＵＲＬとして入力する（http://モニタ装置のＩＰアドレス）。モニタ装置１０のＩＰアドレスは、本体メニューに表示されているので、そこで確認することができる。ＩＰアドレスを入力するに代えて、パソコン１２にホーム画面として詳細調整メニューが登録され、或いは、お気に入りに追加され、ＩＰアドレスの再入力を省略して詳細調整メニューが利用可能とされてもよい。
【００４０】
モニタ装置１０のＩＰアドレスがＵＲＬとして入力されると、パソコン１２はモニタ装置１０との通信チャネルを確立する。通信チャネルの確立が確認されると（ブロックＢ５６のイエス）、モニタ装置１０に対して、設定メニュー記憶部３６に記憶されている設定メニュー画面のＨＴＭＬファイルを要求する（ブロックＢ５８）。モニタ装置１０は、要求されたＨＴＭＬファイル、およびフラッシュメモリ３０に記憶されている種々の調整項目の設定値をパソコン１２に送信する（ブロックＢ８２）。なお、フラッシュメモリ３０に記憶されている設定値は、モニタ装置１０の電源オフ時に初期値にリセットしてもよい。
【００４１】
パソコン１２は、モニタ装置１０から受信したＨＴＭＬファイルと、設定値とに基づいてＨＴＭＬメニューを表示する（ブロックＢ６０）。ＨＴＭＬファイルの表示の後に、現背景映像を変更する際には、別画面（図示せず）で調整対象とされる映像が選択される。現背景映像を変更せずに、現背景画像を選択する際にも、調整対象とされる映像が現背景映像である旨が選択される。（ブロックＢ６１）この選択画像の映像信号は、選択映像の確定で、パソコン１２のディスプレイ・インタフェース７０からモニタ装置１０の入力部１０、例えば、ＨＤＭＩ入力部１０に入力されてモニタ装置１０のディスプレイ６８に表示される。選択映像の入力があると、本体メニューの表示が中止されて映像調整の為の選択映像のみがモニタ装置１０のディスプレイ６８に表示される。（ブロックＢ８３）
ＨＴＭＬメニューの一例が図６Ａ及び図６Ｂに示す。ＨＴＭＬメニューは左端に映像入力ポートの選択のための３つのアイコン（ＨＤＭＩ１、ＨＤＭＩ２、ＨＤＭＩデュアル(HDMI dual)）、別メニューのキャリブレーション、ツールを選択するためのアイコンが縦に配置されてなる。これらのアイコンはタッチパネル６８ｂ上でタップあるいはマウスでクリックされることにより、選択される。映像入力ポート毎のメニュー画面が表示される。この詳細メニュー画面は、パソコン１２がＨＤＭＩケーブル１７を介してモニタ装置１０のＨＤＭＩ２のポートに接続されている場合には、特に指定がなくとも、ＨＤＭＩ２のポートに送信された映像に関する調整メニューが表示される。この詳細メニュー画面において、ＨＤＭＩ１、或いは、ディスプレイポート（Display port）が選択されると、ＨＤＭＩ１、或いは、ディスプレイポート（Display port）に接続された機器、例えば、映像ソース機器１１から提供された映像がモニタ装置１０に表示されディスプレイポート（Display port）に接続された機器から提供された映像に関する調整メニューが表示される。また、ＨＤＭＩデュアル(HDMI Dual)が選択されると、ＨＤＭＩ１及びＨＤＭＩ２の２ポートに送信された２映像がモニタ装置１０に分割表示され、ＨＤＭＩ１及びＨＤＭＩ２のポートに接続された２つの機器から提供された映像に関する２つの調整メニューが表示される。ここで、パソコン１２以外の外部機器から供給される映像が表示される場合には、ブロックＢ６１における調整映像の選択で外部機器、例えば、映像ソース機器１１から供給される映像が有線或いは無線ＬＡＮ６−１〜６−４を介してパソコン１２に転送されることが好ましい。
【００４２】
以下に、パソコン１２が接続されているＨＤＭＩ２が詳細メニューで選択されている場合を説明する。ＨＭＴＬメニューは、例えば、映像モード、バックライト、色温度、R/G/B Drive、映像詳細調整、高画質、レゾリューションプラス等の項目を含む。
【００４３】
各項目の選択肢は例えば、以下の通りである。映像モード設定は、ユーザ／ｓＲＧＢ／ＢＴ．７０９／ＥＢＵ／ＳＭＰＴＥ−Ｃ／ＤＣＩ／ＤＩＣＯＭ−ｓｉｍ／テレビ／ムービーのいずれかに設定される。表示されている選択肢はタップあるいはクリック（以下、単にタップと総称する）することにより選択される。このように、一回のタップで項目と項目値とを同時に選択することができるので、操作性が向上する。本体メニューのようにボタン操作では、項目の選択と、項目値の２回の操作が必要とされる。
【００４４】
バックライト、色温度、Ｒ／Ｇ／Ｂドライブ（R/G/B Drive）、映像詳細調整の項目にはスライダが表示され、スライダを動かすことにより、値を設定することができる。このため、値を大きく変えること、あるいは微調整がしやすい。Ｒ／Ｇ／Ｂドライブ（R/G/B Drive）の変更にあっては、ＲＧＢの各チェックボックスにチェックマークを記入することによってスライダが表示され、スライダを左右に移動することによってＲＧＢの輝度を調整することができる。バックライトは、５０ｃｄ／ｍ２から１００ｃｄ／ｍ２の範囲で１０刻みに設定される。色温度は、４０００Ｋから１５０００Ｋの範囲で１００Ｋ刻みに設定される。R/G/B Driveは、Ｒ、Ｇ、Ｂ毎に０から１００％の範囲に設定される。なお、R/G/B Driveは、Ｒ、Ｇ、Ｂの合計が３０以下には設定不可能である。また、色温度とR/G/B Driveは、排他である。映像詳細調整は、コントラスト、黒レベル、ガンマ、色合い、色の濃さ、シャープネスの項目を含む。コントラストは０から１００の範囲で１０刻みで、黒レベルは−５０（暗）から＋５０（明）の範囲内で１０刻みで、ガンマは１．６から２．７の範囲で０．１刻み、色合いと色の濃さとシャープネスは−５０から＋５０の範囲で１０刻みに設定される。高画質、レゾリューションプラスはオン、オフのいずれかに設定される。
【００４５】
メニューは設定ファイルの保存・復元のためにファイル名を入力するフィールドと、保存ボタン、復元ボタンも表示する。保存、復元については、後述する。
【００４６】
上述した映像モードの設定において、テレビ／ムービーが選択された場合には、詳細メニューにおけるバックライト、色温度、Ｒ／Ｇ／Ｂドライブ（R/G/B Drive）、映像詳細調整の項目並びに設定ファイルの保存・復元は、グレー表示されて選択不可とされる。そして、テレビ／ムービーの映像モードでは、高画質及びレゾリューションプラス（超高解像度）等の項目のみを選択することができる。テレビ／ムービーの映像モードは、そのテレビ／ムービーを最適画像で見させるためにテレビ／ムービーの供給側の機器でモニタ装置１０のバックライト、色温度、Ｒ／Ｇ／Ｂドライブ（R/G/B Drive）、映像詳細調整を変更不能に最適値に設定している。また、ユーザ等の他の映像モードの設定においては、高画質及びレゾリューションプラス等の項目の選択が不可能とされる。
【００４７】
ブロックＢ６２で、各項目の設定値を調整すると、調整後の設定値はモニタ装置１０に送信される。
【００４８】
モニタ装置１０では、システムコントローラ２８がこの設定値をフラッシュメモリ３０に記憶するとともに、映像処理部２４あるいはバックライト４０に設定する。これにより、モニタ装置１０は、映像ソース機器１１からの映像信号の表示を調整する。調整項目の値を設定するためのメニューはモニタ装置１０とは別のパソコン１２で表示されるので、モニタ装置１０の表示映像がメニューにより邪魔されることがなく、設定値のどの程度の変化が映像表示にどの程度反映されるかを詳細に確認することができ、正確な設定値を決定することができる。モニタ装置１０における設定が変更される毎に、モニタ装置１０における設定値は、パソコン１２へ送信する（ブロックＢ８６）。モニタ装置１０はブロックＢ８８で調整後の映像を表示する。
【００４９】
パソコン１２へ送信された設定値は、ブロックＢ６４でパソコン１２のディスプレイ６８に表示されるとともに、その設定値が修正を正しく反映していれば、例えば、設定値が時間的に新しければ、設定値が変更されたとされる。（ブロックＢ６６）即ち、パソコン１２へ送信された設定値の属性情報に記述された時間がブロックＢ６２における調整後の設定値をモニタ装置１０に送信した時点よりも後の時点であれば、パソコン１２へ送信された設定値のファイルは、設定ファイルの保存・復元の項目でファイル名を記入して保存することができる。（ブロックＢ７２）設定ファイルの保存を望む場合には、ブロックＢ７４において、設定ファイルがＳＳＤ５８或いはＨＤＤ等の記憶装置に記憶される。設定項目を参照して設定事項を変更するとのことで、設定ファイルの保存を望まない場合には、再びブロック６２に戻される。また、設定ファイルの保存後、新たな映像での詳細調整が必要な場合には、ブロックＢ７６で、次の調整映像があるかが判断される。ブロックＢ７６で、新たな調整映像がある場合には、ブロックＢ６１に戻されて新たな映像が選択されてブロックＢ６１からブロックＢ７０が実行される。
【００５０】
ブロックＢ６６において、パソコン１２で設定値が正しく受信されなかったたり、或いは、設定値が修正を正しく反映していなければ、例えば、設定値が時間的に新しくなければ、設定値が変更されないとされる。設定値が変更されない場合には、再び、通信チャネルが確立されてブロックＢ６１に戻されてブロックＢ６１からブロックＢ７０が実行される。
【００５１】
また、ブロックＢ７６において、次の調整映像がなければ、ブロックＢ７８で処理が終了される。
【００５２】
このように映像調整機能を具備し実際に映像を表示するモニタ装置１０と、メニュー表示・調整値操作を行うパソコン１２とがネットワークを介して通信しているので、この通信が正常に行なわれていないと、パソコン１２の設定値がモニタ装置の映像調整に正しく反映されない。これに対処するために、パソコン１２は、モニタ装置１０において設定値が正しく変更されたか否かを判定している。設定値が正しく変更されていない場合は、モニタ装置１０とパソコン１２との通信が正常に行われていない可能性があるので、ブロックＢ７０で通信チャネルを確立して、ブロックＢ５８に戻される。設定値が正しく変更されている場合は、パソコン１２で調整した設定値がモニタ装置１０で反映されているので、ブロックＢ７２で設定ファイルを保存するか否か判定される。保存する場合は、ブロックＢ７４において、モニタ装置１０から転送された設定ファイルを保存し、否の場合は、ブロックＢ６２に戻される。
【００５３】
図６Ａ及び図６Ｂに示したＨＴＭＬメニューの項目はあくまでも一例であり、種々変形可能である。ここで、ＨＴＭＬメニューは図６Ａ及び図６Ｂに示す項目以外にも、映像調整に関して、例えば、調整モード、低遅延モード、レゾリューションプラス設定、カラーテクスチャ、輝度エッジ補正、Ｖ（ビデオ）エンハンサ、ＭＰＥＧ−ＮＲ（ノイズリダクション）、ダイナミックーＮＲ、ブロックノイズクリア、色エッジ補正、輝き復元、ＬＥＤエリアコントロール、質感イコライザ、プログレッシブ処理、初期値に戻す項目を含むことができる。
【００５４】
調整モードは、プリセット／カスタムのいずれかに設定される。なお、調整モードは、映像モードに対して個別に設定される。低遅延モードは、オン／オフのいずれかに設定される。レゾリューションプラス設定は、ゲイン調整、補正レベル、３次元フレーム、フィルムグレイン抑制の項目を含む。カラーテクスチャは、カラーテクスチャ、Ｒゲイン、Ｇゲイン、Ｂゲインの項目を含む。輝度エッジ補正は、オート／手動のいずれかに設定される。Ｖエンハンサは、強／中／弱／オフのいずれかに設定される。ＭＰＥＧ−ＮＲは、強／中／弱／オフのいずれかに設定される。ダイナミック−ＮＲは、強／中／弱／オフのいずれかに設定される。ブロックノイズクリアは、強／中／弱／オフのいずれかに設定される。色エッジ補正は、オート／手動のいずれかに設定される。輝き復元は、オート／手動のいずれかに設定される。ＬＥＤエリアコントロールは、強／中／弱／オフのいずれかに設定される。質感リアライザは、オート／手動／オフのいずれかに設定される。プログレッシブ処理は、オート／ビデオ／３０ｐ／２４ｐのいずれかに設定される。なお、高画質がオフ設定の場合は、低遅延モード、レゾリューションプラス設定、カラーテクスチャ、輝度エッジ補正、Ｖエンハンサ、ＭＰＥＧ−ＮＲ、ダイナミック−ＮＲ、ブロックノイズクリア、色エッジ補正、輝き復元、ＬＥＤエリアコントロール、質感リアライザ、プログレッシブ処理は設定不可である。「初期値に戻す」が選択されると、現在選択されている映像モードの設定値がすべて初期化される。
【００５５】
また、モニタ装置の本体機器設定として、ＨＤＭＩデュアル設定、音声設定、ディスプレイポート、ＲＧＢレンジ、入力自動切換、入力自動スキップ、省電力設定、ＬＥＤ輝度設定、ディスプレイ設置方向、画面サイズ、言語設定、ネットワーク設定、パスワード設定の項目を含むことができる。
【００５６】
ＨＤＭＩデュアル設定は、「使用する／使用しない」のいずれかに設定される。音声設定は、ＨＤＭＩ１／ＨＤＭＩ２のいずれかに設定される。ＨＤＭＩデュアル設定が使用しない場合は、音声設定は設定不可である。ディスプレイポートはＳＳＴ／ＭＳＴのいずれかに設定される。ＲＧＢレンジは、ＨＤＭＩ１／ＨＤＭＩ２／ＨＤＭＩデュアル／ＤＰに対して個別にオート／フルレンジ／リミテッドレンジのいずれかに設定される。入力自動切換は、「する／しない」のいずれかに設定される。入力自動スキップは、「する／しない」のいずれかに設定される。省電力設定は、「する／しない」のいずれかに設定される。ＬＥＤ輝度設定は、消灯／１／２／３／４／５のいずれかに設定される。ディスプレイ設置方向は、ランドスケープ（横長）／ポートレイト（縦長）のいずれかに設定される。画面サイズは、２Ｋ以下の場合は、フル／ノーマル／ネイティブのいずれかに、４Ｋの場合は４Ｋノーマル／４Ｋフル（左）／４Ｋフル（中央）／４Ｋフル（右）のいずれかに設定される。言語設定は、英語／日本語のいずれかに設定される。ネットワーク設定はＩＰアドレス設定／ＤＮＳ設定／プロキシ設定／ＭＡＣアドレスのいずれかに設定される。パスワードは、ユーザー名／パスワードのいずれかに設定される。
【００５７】
ＨＴＭＬメニューのさらに他の例を図７Ａから図７Ｅに示す。さらに他の例では、ＨＴＭＬメニューは階層構造（図７Ａから図７Ｅの左右方向）であり、メインメニューは、入力設定、映像設定、機能設定、言語設定、設定の保存、パスワード設定の６つの項目からなる。
【００５８】
メインメニューの１番目の入力設定が選択されると、入力選択メニューが表示される。入力選択は、ＨＤＭＩ−１、ＨＤＭＩ−２、ディスプレイポート（ＳＳＴ／ＭＳＴ）あるいはＨＤＭＩデュアル、ディスプレイポート（ＳＳＴ／ＭＳＴ）のいずれかに設定される。入力が選択されると、スキップ設定、自動切替、低遅延モード設定、ＲＧＢレンジ、ディスプレイポート設定、ＨＤＭＩの設定項目からなるメニューが表示される。スキップ設定は、選択できる（スキップしない）入力をラジオボタンで選択（初期値は全て、少なくとも１つは選択される）する。自動切替は、「する／しない」（入力信号有無で他入力への切替を有効にするか、しないか）のいずれかに設定される。初期値は「する」である。低遅延モード設定は、Ｙｅｓ／Ｎｏのいずれかに設定される。Ｙｅｓはゲームモード相当であり、初期値は、Ｎｏである。ＲＧＢレンジは、自動／０〜２５５／１６〜２３５のいずれかに設定される。初期値は、自動である。ディスプレイポート設定は、ＳＳＴ／ＭＳＴ（再起動が必要）のいずれかに設定される。初期値は、ＳＳＴである。ＨＤＭＩ設定が選択されると、ＨＤＭＩ−１／ＨＤＭＩ−２あるいはＨＤＭＩデュアルの項目と、ＨＤＭＩデュアル時の音声選択項目からなるメニューが表示される。ＨＤＭＩ−１／ＨＤＭＩ−２あるいはＨＤＭＩデュアルの項目は、再起動が必要であるが、ＨＤＭＩ−１／ＨＤＭＩ−２あるいはＨＤＭＩデュアルのいずれかに設定される。ＨＤＭＩデュアルでは２本挿しでデュアルスクリーンモードとされる。初期値はＨＤＭＩ−１／−２（独立）である。ＨＤＭＩデュアル時の音声選択は、ＨＤＭＩ−１／ＨＤＭＩ−２のいずれかに設定される。初期値は、ＨＤＭＩ−１である。
【００５９】
メインメニューの２番目の映像設定が選択されると、入力選択と全映像設定リセットからなるメニューが表示される。全映像設定リセットが選択されると、全部の設定がリセットされる。入力選択は、ＨＤＭＩ−１、ＨＤＭＩ−２、ディスプレイポート（ＳＳＴ／ＭＳＴ）あるいはＨＤＭＩデュアル、ディスプレイポート（ＳＳＴ／ＭＳＴ）のいずれかに設定される。
【００６０】
入力が選択されると、映像モード選択、ヒストグラムとダイナミックガンマの表示、ピクチャサイズからなるメニューが表示される。ヒストグラムとダイナミックガンマの表示が選択されると、別メニューが表示される。ピクチャサイズが選択されると、フル／ノーマル／ネイティブと、４０９６Ｈ表示設定からなるメニューが表示される。映像モードは、ユーザ／Ａｄｏｂｅ ＲＧＢ／ｓＲＧＢ／ＢＴ．７０９／ＥＢＵ／ＳＭＰＴＥ−Ｃ／ＤＣＩ／ＤＩＣＯＭ−ｓｉｍのいずれかに設定される。
【００６１】
映像モードが選択されると、ディフォルト値のロード(Load Default Value)、バックライト明るさ、色温度、Ｒ／Ｇ／Ｂドライブ（R/G/B Drive）、映像詳細調整、高画質、キャリブレーション、映像モード内リセットからなるメニューが表示される。ディフォルト値のロード(Load Default Value)は、ユーザモードの初期値を選択するもので、ｓＲＧＢ／ＢＴ．７０９／ＥＢＵ／ＳＭＰＴＥ−Ｃ／ＤＣＩ／ＤＩＣＯＭ−ｓｉｍのいずれかに設定される。映像モードが選択されると、ディフォルト値のロード(Load Default Value)、バックライト明るさは、リセットあるいは０ｃｄ／ｍ２から１００ｃｄ／ｍ２の範囲で１刻みに設定される。色温度は、リセットあるいは４０００Ｋから１５０００Ｋの範囲で１００刻みに設定される。Ｒ／Ｇ／Ｂドライブ（R/G/B Drive）は、リセットあるいはＲ、Ｇ、Ｂ毎に０から１００％の範囲で１刻みに設定される。色温度とＲ／Ｇ／Ｂドライブ（R/G/B Drive）は連動している。
【００６２】
映像詳細調整が選択されると、コントラスト、黒レベル、ガンマ、色合い、色の濃さ、カラーイメージコントロールプロ、シャープネス、リセットの項目を含むメニューが表示される。コントラストは、リセットあるいは０から１００の範囲で１刻みに設定される。黒レベルは、リセットあるいは−５０から＋５０の範囲で１刻みに設定される。ガンマは、リセットあるいは１．６から２．７の範囲で０．１刻みに設定される。色合いは、リセットあるいは−５０から＋５０の範囲で１刻みに設定される。色の濃さは、リセットあるいは−５０から＋５０の範囲で１刻みに設定される。カラーイメージコントロールプロが選択されると、図示しない別メニューが表示される。シャープネスは、リセットあるいは−５０から＋５０の範囲で１刻みに設定される。映像モード内リセットが選択されると、詳細調整全体の設定値がリセットされる。
【００６３】
高画質が選択されると、ユーザ／ディフォルト／オフのモード選択メニューが表示される。いずれかのモードが選択されると、微細テクスチャ復元、レゾリューションプラス、フィルムグレイン抑制、カラーテクスチャ、輝度エッジ補正、原画解像度、Ｖエンハンサ、ＭＰＥＧ−ＮＲ、ダイナミックＮＲ、ブロックノイズクリア、グラフィックスＮＲ、色エッジ補正、色解像度、輝き復元、ＬＥＤエリアコントロール、質感リアライザ、色質感リアライザ、色階調リアライザ、プログレッシブ処理、リセットの項目からなるメニューが表示される。
【００６４】
微細テクスチャ復元は、自動あるいは０から１００の範囲で１刻みに設定される。レゾリューションプラスは、オフ／自動のいずれかに設定される。自動が選択されると、ゲイン調整、補正レベル、３次元フレームが調整される。ゲイン調整は、自動あるいは００から１０の範囲で１刻みに設定される。補正レベルは、自動あるいは１から４の範囲で１刻みに設定される。３次元フレームは、自動／オン／オフのいずれかに設定される。
【００６５】
フィルムグレイン抑制は、自動／強／中／弱／オフのいずれかに設定される。カラーテクスチャは、自動／オン／オフのいずれかに設定される。輝度エッジ補正は、自動あるいは０から１０の範囲で１刻みに設定される。原画解像度は、自動あるいは１９２０ｘ１０８０／１４４０ｘ１０８０／１２８０ｘ７２０／９６０ｘ５４０／７２０ｘ４８０／６４０ｘ４８０のいずれかに設定される。Ｖエンハンサは、自動／強／中／弱／オフのいずれかに設定される。ＭＰＥＧ−ＮＲは、自動／強／中／弱／オフのいずれかに設定される。ダイナミックＮＲは、自動／強／中／弱／オフのいずれかに設定される。ブロックノイズクリアは、自動／強／中／弱／オフのいずれかに設定される。グラフィックスＮＲは、自動／強／中／弱／オフのいずれかに設定される。色エッジ補正は、自動あるいは０から１０の範囲で１刻みに設定される。色解像度は、ワイド／スタンダードのいずれかに設定される。輝き復元は、自動あるいは０から１０の範囲で１刻みに設定される。ＬＥＤエリアコントロールは、強／中／弱／オフのいずれかに設定される。質感リアライザは、自動／手動／オフのいずれかに設定される。自動が選択されると、明部ゲイン、暗部ゲイン（ともに、００から１０の範囲で１刻みに設定）の設定メニューが表示される。色質感リアライザは、緑検出／オフのいずれかに設定される。色階調リアライザは、オン／オフのいずれかに設定される。プログレッシブ処理は、自動／ビデオ／３０ｐ／２４ｐのいずれかに設定される。リセットが選択されると、高画質の全体の調整値がリセットされる。
【００６６】
メインメニューの３番目の機能設定が選択されると、現在の設定一覧と、全初期化からなるメニューが表示される。現在の設定一覧が選択されると、省電力設定、ＬＥＤ表示の明るさ、ディスプレイ設置方向、ネットワーク設定、ファームウェアアップデートからなるメニューが表示される。省電力設定は、標準／高速起動／しないのいずれかに設定される。初期値は標準で、標準ではスタンバイまで、高速起動ではバックライト消灯まで消費電力が低下する。ＬＥＤ表示の明るさは、電源オン時の緑ＬＥＤの明るさの設定（スタンバイのオレンジや、起動中の点滅の明るさは規定値で固定）であり、７段階か消灯に設定される。ディスプレイ設置方向は、ランドスケープ（横長）／ポートレイト（縦長）のいずれかに設定される。ネットワーク設定が選択されると、ＤＨＣＰ設定、ＤＮＳサーバ設定、ＭＡＣアドレス表示からなるメニューが表示される。ファームウェアアップデートは、ネットワーク経由かＵＳＢから行うことができる。ファームウェアを格納するＵＳＢをモニタ装置に挿せば自動でアップデートする。
【００６７】
メインメニューの４番目の言語設定は、日本語／英語のいずれかに設定される。
【００６８】
メインメニューの５番目の設定の保存は、「現在の設定値をダウンロードしてＰＣ等に保存する」あるいは「保存された設定値ファイルをアップロードして、以前の設定を復元する」のいずれかに設定される。
【００６９】
ブロックＢ７４で保存される設定ファイルは、一例として、図８に示されるように図６Ａ及び図６Ｂに示される詳細メニューの項目を有する表形式のファイルとして保存される。即ち、各設定ファイルには、ファイル番号、ファイル名及び詳細設定の対象とされた映像名に加えて図６Ａ及び図６Ｂに示される詳細メニューの項目で設定されたパラメータの数値が格納され、これら複数のファイル(1)〜（ｎ）を参照可能なように図８に示すような表形式で格納され、これら複数ファイル(1)〜（ｎ）が表示される。
【００７０】
図５に示すフローにおいては、設定値が変更される毎に図８に示すような詳細設定ファイルを保存するかがステップＢ７２で確認されていたが、保存すべき時点をユーザが指定して割り込みで図８に示すような詳細設定ファイルを保存するようにしても良い。
【００７１】
図９を参照して、この割り込みで図８に示すような詳細設定ファイルを保存する流れを説明する。
【００７２】
図６Ａ及び図６Ｂに示したメニューに基づいてスライダをスライドして各調整項目の設定値を調整し、所望の設定値が決まり、その値を調整対象とされた映像に関連付けをした図８に示すような詳細設定ファイルでパソコン１２に保存しておけば、同じような映像を調整する際、各調整項目を逐一調整しなくても保存した値を読み出してモニタ装置１０に設定するだけで、簡単に調整項目の値を設定できる。
【００７３】
所望の設定値が決まると、パソコン１２のユーザはブロックＢ１１２でメニュー（図６Ａ及び図６Ｂ）のファイル名入力フィールドに保存したいファイル名を入力し、ブロックＢ１１４で保存ボタンをタップする。ブロックＢ１１６でパソコン１２はモニタ装置１０へデータの取得依頼を送信する。モニタ装置１０はそれを受けてブロックＢ１３６でパソコン１２へデータを送信する。パソコン１２はデータを受け取ると、ブロックＢ１１８でモニタ装置１０へ取得完了を通知し、ブロックＢ１２０でデータをブロックＢ１１４で入力されたファイル名を有する図８に示すような詳細設定ファイルとしてＳＳＤ５８或いはＨＤＤに保存する。
【００７４】
次に、図１０を参照して設定ファイルの復元の流れを説明する。
【００７５】
図８に示す詳細設定ファイルを参照して映像名を特定してその映像を再びモニタ装置に表示する際には、図８に示す詳細設定ファイルで設定されたパラメータで調整された映像を１台のモニタ装置１０に限らず、図１１に示すように複数台のモニタ装置１０−１〜１０−４に表示することができる。
【００７６】
より詳細には、パソコン１２から分配器７を介して１又は複数のモニタ装置１０−１〜１０−４に映像信号を出力し、同時に、詳細設定ファイルを１又は複数のモニタ装置１０に出力することによって同一の設定パラメータで調整された映像を１又は複数のモニタ装置１０に表示させることができる。従って、１又は複数のモニタ装置１０には、既にユーザが設定した調整済みの表示が同一の状態で表示することができ、モニタ装置１０毎に調整する手間を省くことができるとともに、いずれのモニタ装置１０に対しても芸術作品として映像品質が維持された映像を表示することが可能となる。
【００７７】
モニタ装置１０における映像の復元においては、図１０に示すように、始めに、パソコン１２のユーザはブロックＢ１４２でメニュー（図６Ａ及び図６Ｂ）のファイル名入力フィールドに読み出したいファイル名を入力し、ブロックＢ１４４で復元ボタンをタップする。パソコン１２は、指定されたファイル名の設定ファイルをＳＳＤ５８或いはＨＤＤから読み出し、設定ファイルをモニタ装置１０へ無線ＬＡＮ６−１、６−２を経由して送信する（ブロックＢ１４６）。この送信の際に、或いは、送信に先立って、パソコン１２或いは他の機器からは、ＨＤＭＩケーブル１６、１７等のケーブルを介して設定ファイルに記載された映像がモニタ装置１０に出力される。モニタ装置１０はブロックＢ１５４で設定ファイルを受信し、ブロックＢ１５６で設定ファイルに応じて映像処理部２４の設定値とバックライト４０の設定値を設定（調整値を復元）する。ブロックＢ１５８でモニタ装置１０はパソコン１２へ復元完了通知を送信し、パソコン１２がこの完了通知を受信すると、ブロックＢ１５０で「復元完了」メッセージをメニューの何処かに表示し、処理を終了する。
【００７８】
これにより、調整項目を再度選択し、調整値を再度設定することなく、以前と同じ調整項目、調整値での映像調整を再現することができる。
【００７９】
また、図８に示すフォーマットのファイル・データを利用することによって詳細に調整設定された表示でファイル(1)〜（ｎ）に係る映像を自動再生でモニタ装置１０に表示することができる。自動再生では、映像データがパソコン１２からモニタ装置１０に転送されるに伴い転送される映像データの映像名を参照して詳細設定のファイル(1)〜（ｎ）がモニタ装置１０に送られ、映像が詳細調整設定に従い次々に再生される。即ち、ブロックＢ１４２で再生順序に従い復元ファイルが選択されて映像の再生順序（ファイル番号で順序を指定）並びに再生時間が設定される。その後、ブロックＢ１４４において復元ボタンが押されると、ブロックＢ１４６に示すように映像データとともに詳細設定のファイル(1)〜（ｎ）がモニタ装置１０に送られる。従って、モニタ装置１０では、ブロックＢ１５４で設定ファイルを受信し、ブロックＢ１５６で設定ファイルに応じて映像処理部２４の設定値とバックライト４０の設定値を設定（調整値を復元）する。その後、ブロックＢ１５８でモニタ装置１０はパソコン１２へ復元完了通知を送信し、パソコン１２がこの完了通知を受信すると、ブロックＢ１５０で「自動表示の復元完了」メッセージをメニューの何処かに表示し、処理を終了する。
【００８０】
以上説明したように、第１の実施形態によれば、ＷＥＢブラウザを有する電子機器を、映像調整を行なうモニタ装置に対してネットワーク接続し、映像調整のためのメニュー画面をモニタ装置から電子機器へ送信し、電子機器で表示する。ユーザは電子機器で表示されているメニュー画面上で調整項目の選択、調整項目の値の設定をすることができる。設定値はモニタ装置へ送信され、メニュー画面で設定された調整値に基づいてモニタ装置が映像調整を行なう。このため、ＯＳＤによりモニタ装置に表示されたメニューを見ながら、モニタ装置本体もしくはリモコンのボタンを使用して調整項目の値を設定する従来法における問題点、例えば映像にメニューが重なっているために、映像上で調整の効果が判りにくい、ボタンでは操作がやりづらい等が解消され、正確な調整値を短時間に設定することができる。従来法で、映像上で調整の効果を正確に確認するには、その都度、メニューを非表示にする必要があり、操作が煩雑である。本実施形態では、モニタ装置で表示されている映像全体を見ながら設定を行うことができるので、調整の効果を微細な点まで認識することができる。また、ボタンに比べてＷＥＢブラウザは、操作がしやすいので、ユーザの利便性を向上することができる。
【００８１】
電子機器はＷＥＢブラウザを含んでいるだけでよく、特別なアプリケーションをインストールする必要がない。そのため、ユーザが既に所有しているノート型ＰＣやタブレット等を利用することができ、製造コストの高い特別なリモコンや機器を用意する必要がない。また、電子機器はリモコンに比べると大型の表示部、マウス、キーボード、タッチパネル等の入力インターフェイスがあるため、複雑な設定内容であっても表示が可能であり、入力・操作が楽である。モニタ装置とパソコンの間をＬＡＮによって接続する必要があるが、モニタ装置に有線もしくは無線ＬＡＮインターフェイスを設けることは、低コストで実現できる。
【００８２】
さらに、一度設定した値をファイルとしてパソコンに保存することができるので、保存ファイルを読み出すことにより、同一、あるいは同じような種類の映像に対して調整値を設定する際、簡単に保存した設定を復元することができ、やはり調整値の設定を短時間に行なうことができる。また、同じ映像信号を複数のモニタ装置で表示する際、簡単に同じ設定を行うことができる。
【００８３】
なお、本実施形態の処理はコンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【００８４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８５】
２４…映像処理部、２６…ＬＤＣパネル、２８…システムコントローラ、３６…設定メニュー記憶部、３８…ＯＳＤ信号生成部、５０…ＣＰＵ、５２…システムコントローラ、６８…タッチスクリーンディスプレイ。
【図１】
2015071955.tif 000003
【図２】
2015071955.tif 000004
【図３】
2015071955.tif 000005
【図４Ａ】
2015071955.tif 000006
【図４Ｂ】
2015071955.tif 000007
【図５】
2015071955.tif 000008
【図６Ａ】
2015071955.tif 000009
【図６Ｂ】
2015071955.tif 000010
【図７Ａ】
2015071955.tif 000011
【図７Ｂ】
2015071955.tif 000012
【図７Ｃ】
2015071955.tif 000013
【図７Ｄ】
2015071955.tif 000014
【図７Ｅ】
2015071955.tif 000015
【図８】
2015071955.tif 000016
【図９】
2015071955.tif 000017
【図１０】
2015071955.tif 000018
【図１１】
2015071955.tif 000019
【国際調査報告】
2015071955.tif 000020
2015071955.tif 000021
2015071955.tif 000022